(57)【要約】【課題】装着後に低廉かつ容易に情報を追加可能なリストバンドを提供する。【解決手段】情報を印刷するための情報表示部２を表面に具備する帯状片であって、環状に巻回した状態で、一端側に形成された係合孔１１と、他端側から長手方向に間隔をおいて形成された複数の調整孔１０のいずれかとを、バンド留め具で係合することによって装着されるリストバンド１において、係合孔１１と複数の調整孔１０を、長手方向に沿って一列に配列するとともに、複数の調整孔１０の中で係合孔１１に最も近い第１の調整孔１０よりも前記一端側で、かつ係合孔１１よりも前記他端側であって、係合孔１１及び調整孔１０が配列される直線上から外れた位置に、貫通孔１２を形成する。【選択図】図１
2019211651.tif 000002
【特許請求の範囲】
【請求項１】
情報を印刷するための情報表示部を表面に具備する帯状片であって、環状に巻回した状態で、一端側に形成された係合孔と、他端側から長手方向に間隔をおいて形成された複数の調整孔のいずれかとを、バンド留め具で係合することによって装着されるリストバンドにおいて、
前記係合孔と前記複数の調整孔は、長手方向に沿って一列に配列されており、
前記複数の調整孔の中で前記係合孔に最も近い第１の調整孔よりも前記一端側で、かつ前記係合孔よりも前記他端側であって、前記係合孔及び前記調整孔が配列される直線上から外れた位置に、貫通孔が形成されることを特徴とするリストバンド。
【請求項２】
前記係合孔及び前記調整孔が配列される直線は、長手方向中心線の一側に外れており、前記貫通孔は長手方向中心線の他側に外れた位置に形成されていることを特徴とする請求項１に記載のリストバンド。
【請求項３】
前記貫通孔は、２辺を長手方向に沿わせるように形成された、長方形状をなしていることを特徴とする請求項１又は請求項２に記載のリストバンド。
【請求項４】
前記情報表示部は、前記係合孔と前記第１の調整孔との間に設けられており、
前記複数の調整孔の中で前記係合孔に２番目に近い第２の調整孔と、前記第１の調整孔との間隔は、隣接する前記複数の調整孔の間隔の平均よりも広く、
前記貫通孔と前記第１の調整孔との間隔は、前記第１の調整孔と前記第２の調整孔との間隔よりも狭いことを特徴とする請求項１乃至請求項３のいずれか１項にリストバンド。
【発明の詳細な説明】
【技術分野】
【０００１】
本発明は、医療現場において患者の識別目的等で用いられるリストバンドに関する。
【背景技術】
【０００２】
医療の現場では、患者を正確かつ容易に特定できるように、患者の識別情報を印刷したリストバンドを患者に装着している。こうしたリストバンドには、一般的に患者の識別情報が文字情報やバーコードで印刷されており、例えば、投薬する場合に、投薬のラベルから読み取った薬情報と、リストバンドから読み取った患者の識別情報と、看護師のＩＤ情報とを三点照合することで、投薬ミスを防止している。
【０００３】
こうしたリストバンドは、プリンタで識別情報を印刷できることが求められるから、易変形性を有する薄厚の帯状片が採用される。かかるリストバンドは、環状に巻回した状態で、一端側に形成された係合孔と、他端側から長手方向に間隔をおいて形成された複数の調整孔のいずれかとを、所定のバンド留め具で係合することによって装着される。なお、リストバンドの装着時に、余った部分は識別情報の読取りの邪魔となるため切り落とされる。
【０００４】
また、こうしたリストバンドには、ＲＦＩＤタグを取り付けたものが提案されている（例えば、特許文献１）。かかるリストバンドを用いれば、ＲＦＩＤタグに記憶した識別情報を専用装置により非接触で読み取ることができるため、腕を動かすのが困難な患者の識別情報を読み取る場合や、夜間消灯時に識別情報を読み取る場合などに、患者や作業者の負担を低減できる。また、こうしたリストバンドでは、複数種類の色のバンド留め具を選択的に使用することにより、リストバンドの文字情報やバーコードを読み取ることなく、患者の特徴（血液型等）を一目で把握できるようにすることも行われている。
【先行技術文献】
【特許文献】
【０００５】
【特許文献１】特許第４４４３９７５号公報
【発明の概要】
【発明が解決しようとする課題】
【０００６】
ところで、上記従来のリストバンドでは、患者の識別情報はリストバンド装着前に印刷されるものであり、患者に装着した後に、患者の症状等に関する新たな情報を記録する必要が生じても、リストバンド装着後に新たな情報を印刷することは困難である。リストバンドにＲＦＩＤタグが組み込まれていれば、情報を追加記憶できるが、全てのリストバンドに予めＲＦＩＤタグを組み込むのはコスト高であるし、リストバンドの装着後に、情報表示部と干渉しないようにＲＦＩＤタグを貼付するのは容易でない。また、リストバンドのバンド留め具は、患者によるリストバンドの取り外しを防止するために、脱離不能に係合させる構成となっているから、リストバンドの装着後にバンド留め具を取り替えることも困難である。
【０００７】
本発明は、かかる現状に鑑みてなされたものであり、装着後に低廉かつ容易に情報を追加可能なリストバンドの提供を目的とする。
【課題を解決するための手段】
【０００８】
本発明は、情報を印刷するための情報表示部を表面に具備する帯状片であって、環状に巻回した状態で、一端側に形成された係合孔と、他端側から長手方向に間隔をおいて形成された複数の調整孔のいずれかとを、バンド留め具で係合することによって装着されるリストバンドにおいて、前記係合孔と前記複数の調整孔は、長手方向に沿って一列に配列されており、前記複数の調整孔の中で前記係合孔に最も近い第１の調整孔よりも前記一端側で、かつ前記係合孔よりも前記他端側であって、前記係合孔及び前記調整孔が配列される直線上から外れた位置に、貫通孔が形成されることを特徴とするリストバンドである。
【０００９】
本発明に係る貫通孔は、係合孔に最も近い調整孔よりも、係合孔が形成される一端側に形成されるため、どの調整孔を係合孔と係合させる場合であっても、装着時に切り落とされることなく情報表示部とともに残留する。また、かかる貫通孔は、係合孔よりも、調整孔が形成される他端側に形成されるため、装着時に調整孔の形成部位に覆われることもない。したがって、本発明のリストバンドにあっては、かかる貫通孔に識別タグを係止することにより、装着後に容易に情報を追加することができる。貫通孔に係止する識別タグは特に限定されず、リストバンドに追加すべき情報の読取形態等に応じて、適したものを選択すればよい。識別タグの具体例としては、色によって患者等の情報を表示するクリップ状部材や、ＲＥＩＤタグを保持するクリップ状部材が挙げられる。
【００１０】
本発明に係る貫通孔は、リストバンドに係合孔や調整孔を形成する工程などにおいて容易に形成可能であるため、かかる貫通孔の形成されていないリストバンドと同等のコストで製造可能であり、また、本発明に係る貫通孔に識別タグを係止するか否かは、リストバンドの装着後に決定でき、係止する識別タグの種類も、リストバンドの装着後に決定できるため、本発明のリストバンドによれば、リストバンドの装着後に低廉に情報を追加することができる。
【００１１】
また、本発明に係る貫通孔は、係合孔と調整孔が配列される直線上から外れた位置にあり、バンド留め具によって係合される直線上には配置されていないため、識別タグを係止する際に、当該貫通孔の形成部位を容易に患者の体表から引き離して、貫通孔の裏側に識別タグを挿入できるという利点がある。
【００１２】
本発明にあって、前記係合孔及び前記調整孔が配列される直線は、長手方向中心線の一側に外れており、前記貫通孔は長手方向中心線の他側に外れた位置に形成されている構成が提案される。
【００１３】
かかる構成とすれば、貫通孔の形成部位を体表から大きく引き離すことができるため、識別タグの貫通孔への取付けが一層容易となる。
【００１４】
また、本発明にあって、前記貫通孔は、２辺を長手方向に沿わせるように形成された、長方形状をなしている構成が提案される。
【００１５】
かかる構成とすれば、情報表示部に情報を印刷する際に、プリンタが印刷位置を識別するための目印として貫通孔を用いることができるため、印刷用の目印を別途設ける手間を省くことができる。
【００１６】
また、本発明にあって、前記情報表示部は、前記係合孔と前記第１の調整孔との間に設けられており、前記複数の調整孔の中で前記係合孔に２番目に近い第２の調整孔と、前記第１の調整孔との間隔は、隣接する前記複数の調整孔の間隔の平均よりも広く、前記貫通孔と前記第１の調整孔との間隔は、前記第１の調整孔と前記第２の調整孔との間隔よりも狭い構成が提案される。
【００１７】
かかる構成のように、第１の調整孔と第２の調整孔の間隔を広めに設定すれば、情報表示部と干渉しないように貫通孔を第１の調整孔の近くに形成しても、必要な強度を確保できる。
【発明の効果】
【００１８】
以上のように、本発明のリストバンドによれば、装着後に低廉かつ容易に情報を追加することが可能となる。
【図面の簡単な説明】
【００１９】
【図１】実施例のリストバンド１の（ａ）表面図と（ｂ）裏面図である。
【図２】リストバンド１の装着状態を示す説明図である。
【図３】バンド留め具２１による調整孔１０と係合孔１１の係合態様を示す説明図である。
【図４】リストバンドラベルＬの部分拡大図である。
【図５】（ａ）は識別タグ２２（２２ａ，２２ｂ）の係止方法を示す説明図であり、（ｂ）はリストバンド１に識別タグ２２を係止した状態を示す説明図である。
【図６】調整孔１０及び貫通孔１２の形成された間隔を示すリストバンド１の裏面図である。
【図７】変形例のリストバンド１ａ〜１ｃの表面図である。
【発明を実施するための形態】
【００２０】
本発明の実施形態を、以下の実施例に従って説明する。
図１は、本実施例のリストバンド１の表面図及び裏面図である。かかるリストバンド１は、ポリウレタンやポリエステル等の合成樹脂材料からなる帯状片であり、柔軟性（易変形性）と肌触りの良さとを有し、図２に示すように、病院等の医療現場で患者の手首Ｗに環状に巻回して装着される。リストバンド１の表側は、患者に装着する際に外側になる側であり、リストバンド１の表面には、患者の識別情報２０を印刷する情報表示部２が設けられる。情報表示部２に印刷される識別情報２０は、患者の氏名やＩＤ等が記録されたバーコード２０ａと、患者の氏名やＩＤ等を表す文字からなる文字情報２０ｂとからなる。かかるリストバンド１によれば、担当医や看護師が文字情報２０ｂの目視により患者を特定できると共に、所定のバーコードリーダーによりバーコード２０ａを読み込んで患者を特定できるから、過誤診療を防止して、患者に応じた診療処置を正しく行うことができる。
【００２１】
図１に示すように、リストバンド１には、情報表示部２の一端側に係合部４が設けられ、情報表示部２の他端側にバンド部３が設けられる。バンド部３には、厚み方向に貫通する複数の調整孔１０が、リストバンド１の長手方向に沿って間隔をおいて一列に形成される。係合部４には、厚み方向に貫通する１つの係合孔１１が形成される。全ての調整孔１０及び係合孔１１は、同じ孔径の円形孔であり、リストバンド１の長手方向に沿って一列に配列される。ここで、調整孔１０と係合孔１１が配列される直線は、リストバンド１の長手方向中心線Ｃの一側に外れるように形成される。なお、本実施例のリストバンド１は、長さ寸法が約３００ｍｍ、幅寸法が約３０ｍｍであり、情報表示部２の長さ寸法は約７５ｍｍ、バンド部３の長さ寸法は約２００ｍｍとなっている。リストバンド１には、調整孔１０と係合孔１１の他に、貫通孔１２が形成されるが、かかる貫通孔１２については後述する。
【００２２】
本実施例のリストバンド１は、患者の手首Ｗに環状に巻回して、図３に示すように、いずれかの調整孔１０と係合孔１１とを表裏方向に重ねて連通させた状態で、バンド留め具２１で当該調整孔１０と係合孔１１とを係合することによって、図２に示すように装着する。ここで、係合孔１１と係合させる調整孔１０を選択することによって、患者の手首Ｗを締め付けず、かつ、患者の手首Ｗから脱落困難な長さにリストバンド１を調整できる。なお、装着時には、バンド部３の余剰部分は、情報表示部２の視認性を妨げないよう切り落とされる。
【００２３】
上述したバンド留め具２１は、図３に示すように、係止突部２３を備えたオス型片２１ａと、該係止突部２３と脱離不能に係合可能な係止孔部２４を備えたメス型片２１ｂとからなるものである。かかるバンド留め具２１は、重ね合わせた調整孔１０と係合孔１１に対して、オス型片２１ａの係止突部２３をリストバンド１の裏側から挿通し、リストバンド１の表側でメス型片２１ｂの係止孔部２４に係着することにより、重ね合わせた調整孔１０と係合孔１１を係合させる。かかるバンド留め具２１は、係止突部２３と係止孔部２４が脱離不能となるから、バンド留め具２１で装着したリストバンド１は、切断しない限り取り外し困難となる。かかるバンド留め具２１は、リストバンド１とは別部材であり、高密度ポリエチレン、ポリスチレン、ポリアミド、アクリル樹脂、ＡＳ樹脂、ＡＢＳ樹脂、ポリプロピレン等の硬質プラスチックにより形成されている。
【００２４】
リストバンド１は、例えば、図４に示すように、複数のリストバンド１が切離し線１５を介して長手方向に連なったリストバンドラベルＬの形態で作製される。そして、かかるリストバンドラベルＬをロール状に巻回し、専用のプリンタで各リストバンド１の情報表示部２に識別情報２０を印刷して、印刷済みのリストバンド１を切離し線１５で１本ずつ切り離すことにより、個々のリストバンド１が作製される。
【００２５】
図１に示すように、リストバンド１には、調整孔１０と係合孔１１の他に、厚み方向に貫通する１つの貫通孔１２が形成される。かかる貫通孔１２は、情報表示部２とバンド部３の境界付近に形成される。この貫通孔１２は、係合孔１１に最も近い調整孔１０よりも、係合部４が形成される端部側に形成されるため、どの調整孔１０を係合孔１１と係合させる場合であっても、装着時に切り落とされることなく情報表示部２の近傍に残留する。また、この貫通孔１２は、係合孔１１よりも、バンド部３が形成される端部側に形成されるため、装着時にバンド部３によって覆われることもない。このため、かかる貫通孔１２には、リストバンド２の装着後に識別タグ等を容易に係止できる。例えば、図５に示すように、リストバンド１の貫通孔１２には、オス型片２２ａと、該オス型片２２ａと係合可能なメス型片２２ｂとからなる識別タグ２２を係止できる。かかる識別タグ２２は、オス型片２２ａの係止突部２５を貫通孔１２に挿通して、反対側からメス型片２２ｂの係止孔部２６を係止突部２５に係着することで、貫通孔１２に係止される。例えば、かかる識別タグ２２を、患者の属性情報（血液型など）に応じた色にすれば、情報表示部２によらず、患者の属性情報を医療機関のスタッフが一目で把握可能となる。なお、図５に示す識別タグは一例に過ぎず、貫通孔１２に係止可能な形状であれば、識別タグの形状は特に限定されず、自由に選択可能である。また、識別タグは、色によって情報を表示するものには限られず、例えば、ＲＦＩＤタグを保持するものであってもよい。また、識別タグが記憶する情報は、情報表示部２に印刷された識別情報２０と同じ内容であってもよいし、情報表示部２に含まれていない情報であってもよい。
【００２６】
このように、本実施例のリストバンド１にあっては、貫通孔１２に識別タグを係止することによって、患者の手首Ｗに装着した後に、容易に情報を追加することができる。かかる貫通孔１２は、リストバンド１に係合孔１１や調整孔１０を形成する工程において容易に形成可能であるため、かかる貫通孔１２の形成されていないリストバンドと同等のコストで製造できる。また、貫通孔１２に識別タグを係止するか否かは、リストバンド１の装着後に決定でき、係止する識別タグの種類も、リストバンド１の装着後に決定できるため、本実施例のリストバンド１は、患者への装着後に低コストで情報を追加できるという利点がある。
【００２７】
また、本実施例のリストバンド１は、図５（ａ）に示すように、貫通孔１２に識別タグ２２を係止する際に、貫通孔１２の形成部位を患者の体表から引き離して、識別タグ２２のオス型片２２ａを貫通孔１２の裏側に挿入する必要があるが、貫通孔１２は、調整孔１０と係合孔１１が配列された直線上から外れた位置に形成されており、バンド留め具２１によって係合される直線上には配置されていないため、貫通孔１２の形成部位は、比較的容易に体表から引き離すことができる。特に、本実施例では、調整孔１０及び係合孔１１が配列される直線が、リストバンド１の長手方向中心線Ｃの一側に外れた位置に形成され、貫通孔１２が長手方向中心線Ｃの他側に外れた位置に形成されることにより、貫通孔１２が、調整孔１０及び係合孔１１が配列される直線から大きく離間しているため、貫通孔１２の形成部位を体表から大きく引き離すことができる。
【００２８】
また、図１に示すように、上記貫通孔１２は長方形状をなしており、長辺がリストバンド１の幅方向に、短辺がリストバンド１の長手方向に沿うように形成される。かかる形状の貫通孔１２は、調整孔１０及び係合孔１１が配列される直線上から外れた位置に形成されるため、上述したようにリストバンドラベルＬ（図４参照）の状態で、情報表示部２に識別情報２０を印刷する際に、プリンタが情報表示部２の位置を識別するための目印として貫通孔１２を利用できる。したがって、本実施例では、リストバンドラベルＬに、貫通孔１２以外の印刷用目印を設ける手間を省略できる。
【００２９】
本実施例では、バンド部３の調整孔１０が一定間隔で形成されていない。具体的には、図６に示すように、バンド部３には、１８個の調整孔１０ａ〜１０ｒが長手方向に一列に形成されるところ、係合孔１１に近い側から数えて１〜４個目の調整孔１０ａ〜１０ｄの間隔ｘが、約１５ｍｍで形成されているのに対して、４〜１８個目の調整孔１０ｄ〜１０ｒの間隔ｙは、約１０ｍｍで形成されており、係合孔１１に近い側から１〜４個目の調整孔１０ａ〜１０ｄの間隔ｘは、全ての調整孔１０ａ〜１０ｒの間隔の平均よりも広くなっている。これに対して、係合孔１１に最も近い調整孔１０ａと貫通孔１２との間隔ｚは、約８ｍｍとなっており、貫通孔１２近くに形成される４個の調整孔１０ａ〜１０ｄの間隔ｘよりも狭くなっている。このように、本実施例では、貫通孔１２近くの４個の調整孔１０ａ〜１０ｄの間隔を、調整孔１０ａ〜１０ｒの平均間隔よりも広くしているため、情報表示部２と干渉しないように貫通孔１２を調整孔１０ａの近くに形成しても、必要な強度を確保できる。
【００３０】
なお、本発明のリストバンドは、上記実施例の形態に限らず本発明の要旨を逸脱しない範囲内において種々変更を加えることができる。例えば、図７は上記実施例の構成を変更した変形例のリストバンド１ａ〜１ｃである。本発明に係るリストバンドは、図７（ａ）のリストバンド１ａのように、貫通孔１２ａを係合孔１１の近くに形成してもよいし、貫通孔１２ａの孔形状を長方形状以外にしてもよい。また、本発明に係るリストバンドは、図７（ｂ）のリストバンド１ｂのように、複数の貫通孔１２ｂ，１２ｃを形成してもよい。また、本発明に係るリストバンドは、図７（ｃ）のリストバンド１ｃのように、情報表示部２と異なる幅寸法のバンド部３ａを有するものであってもよい。
【符号の説明】
【００３１】
１  リストバンド
２  情報表示部
３  バンド部
４  係合部
１０  調整孔
１１  係合孔
１２  貫通孔
１５  切離し線
２０  識別情報
２１  バンド留め具
２２  識別タグ
２５  係止突部
２６  係止孔部
Ｃ  長手方向中心線
Ｌ  リストバンドラベル
Ｗ  手首
【図１】
2019211651.tif 000003
【図２】
2019211651.tif 000004
【図３】
2019211651.tif 000005
【図４】
2019211651.tif 000006
【図５】
2019211651.tif 000007
【図６】
2019211651.tif 000008
【図７】
2019211651.tif 000009